(57)【要約】      （修正有）【課題】伸線機における巻取りドラムへの巻き始めを直線化できるようにして、無駄をなくした巻取装置付き伸線機を提供する。【解決手段】巻取装置付き伸線機において、巻取装置４を、巻取ドラム５と、該ドラム５を駆動回転するためのモータと、巻取ドラム５の回転により線材Ａを伸線ダイス３から引抜き巻取ドラムに巻き込む引込み機構７とから構成し、巻取ドラム５を回転させて引込み部材１１を介し線材Ａを巻取ドラム５に巻き取る際、引込み機構７のグリッパー体９に直線状態にグリップした線材Ａの先端部が巻取ドラム５の胴部５１外周から接線方向に延びるようにグリッパー体９を巻取ドラム５の第２ガイド溝５１ｂ内に入り込ませ、かつ、巻取ドラム５に線材Ａを巻き取る力で、引込み機構７を巻取ドラム５の軸方向先端側へ自動的に移動させるようにした。【選択図】図３
0003145946.tif 000002
【実用新案登録請求の範囲】
【請求項１】
機台の一端に線材を伸線するための伸線ダイスを、また他端に伸線ダイスから線材を引抜いて伸線しながら巻取ドラムの胴体に巻き取る巻取装置を備えた巻取装置付き伸線機において、巻取装置は、巻取ドラムと、巻取ドラムを駆動回転するためのモータなどの駆動機構と、巻取ドラムの回転により線材を伸線ダイスから引抜き巻取ドラムに巻き込む引込み機構とを有し、かつ、引込み機構として、巻取ドラムにおける胴体の外周に、該ドラムの軸方向と平行に配置される第１ガイド溝と、第１ガイド溝に対し所定角度変位した位置に巻取ドラムの軸方向と平行に配置される第２ガイド溝とを形成すると共に、第１ガイド溝に嵌入され、かつ第１ガイド溝の長さ方向に沿って移動可能な移動ガイド体と、伸線ダイスから突き出た線材の先端部を直線状態のままグリップするグリッパー体と、移動ガイド体とグリッパー体とを連結する所定長さのワイヤー又はチェーンなどの索条体とからなる引込み部材を用い、巻取ドラムの回転により引込み部材を介して線材を巻取ドラムに巻き取るとき、線材の直線先端部が巻取ドラムの胴部外周から接線方向に延びる状態でグリッパー体が第２ガイド溝内に入り込むように構成したことを特徴とする巻取装置付き伸線機。
【請求項２】
グリッパー体を、長さ方向に中央部に先広がりくさび形状に貫通する貫通孔を有するグリッパー本体とくさび状の矢板とから構成して、貫通孔にその後方から線材の先端を挿入し、その挿入状態で貫通孔の前方から矢板を叩き入れて線材の先端を直線状態のままグリップするようにしたことを特徴とする請求項１記載の巻取装置付き伸線機。
【考案の詳細な説明】
【技術分野】
【０００１】  本考案は、線材を伸線するための伸線ダイスと、伸線ダイスから線材を引抜いて伸線しながら巻取ドラムの胴体に巻き取る巻取装置とを備えた巻取装置付き伸線機に関するものである。
【背景技術】
【０００２】  従来、この種の伸線機として、機台の一端に線材を伸線するための伸線ダイスを、また他端に巻取ドラムと巻取ドラムを駆動回転するための駆動機構とを備え、線材の先端部を巻取ドラムに引っ掛け、巻取ドラムの駆動回転により伸線ダイスから線材を引抜いて伸線しながらその線材を適宜ガイド機構により巻取りドラムの軸方向に移動させて、巻取ドラムの胴体に巻き取るように構成したものが知られている。
【考案が解決しようとする課題】
【０００３】  ところで、上記した従来の伸線機にあっては、線材の巻き始め先端部を例えばＬ状に折り曲げてその先端部を巻取ドラム側の係止部に引っ掛け、その引っ掛け状態のもとで巻取ドラムを駆動回転させることにより、線材を伸線しながら巻取ドラムに巻き取るように構成している。そのため、その折れ曲がった線材の巻き始め先端部については最後まで使用することができず、そのため、線材の先端部を廃棄するようにしている。そのため、材料が無駄になると共に、鉄鋼材の値上がりも相俟って不経済となる問題を有していた。
【０００４】  そこで、本考案は、巻取りドラムへの巻き始めを直線化できるようにして、無駄をなくし、鉄鋼材の値上がりの折、不経済となるの抑えることができる巻取装置付き伸線機の提供を課題とする。
【課題を解決するための手段】
【０００５】  上記問題を解決するため本願の請求項１に記載の考案は、機台の一端に線材を伸線するための伸線ダイスを、また他端に伸線ダイスから線材を引抜いて伸線しながら巻取ドラムの胴体に巻き取る巻取装置を備えた巻取装置付き伸線機において、巻取装置は、巻取ドラムと、巻取ドラムを駆動回転するためのモータなどの駆動機構と、巻取ドラムの回転により線材を伸線ダイスから引抜き巻取ドラムに巻き込む引込み機構とを有し、かつ、引込み機構として、巻取ドラムにおける胴体の外周に、該ドラムの軸方向と平行に配置される第１ガイド溝と、第１ガイド溝に対し所定角度変位した位置に巻取ドラムの軸方向と平行に配置される第２ガイド溝とを形成すると共に、第１ガイド溝に嵌入され、かつ第１ガイド溝の長さ方向に沿って移動可能な移動ガイド体と、伸線ダイスから突き出た線材の先端部を直線状態のままグリップするグリッパー体と、移動ガイド体とグリッパー体とを連結する所定長さのワイヤー又はチェーンなどの索条体とからなる引込み部材を用い、巻取ドラムの回転により引込み部材を介して線材を巻取ドラムに巻き取るとき、線材の直線先端部が巻取ドラムの胴部外周から接線方向に延びる状態でグリッパー体が第２ガイド溝内に入り込むように構成したことを特徴とする。
なお、索条体とはワイヤーやチェーンなどを含む概念である。
【０００６】  また、本願の請求項２に記載の考案は、上記した請求項１記載の構成においてグリッパー体を、長さ方向に中央部に先広がりくさび形状に貫通する貫通孔を有するグリッパー本体とくさび状の矢板とから構成して、貫通孔にその後方から線材の先端を挿入し、その挿入状態で貫通孔の前方から矢板を叩き入れて線材の先端を直線状態のままグリップするようにしたことを特徴とする。
【考案の効果】
【０００７】  本考案によれば、上記した構成により巻取ドラムを回転させ引込み部材を介して線材を巻取ドラムに巻き取る際、線材の先端部が巻取ドラムの胴部外周から接線方向に延びるようにグリッパー体を巻取ドラムの第２ガイド溝内に入り込ませるよう構成したから、巻取ドラムへの線材の巻き始め先端部を直線化し、そのまま巻き取ることができる。これにより従来のように線材の末端を捨てるといったことなく最後まで使用することが可能になり、その結果、材料の無駄をなくすことができると共に、鉄鋼材の値上がりの折、不経済となるの抑えることができる。その上、巻取ドラムに線材を巻き取る力を利用して、引込み機構を巻取ドラムの軸方向先端側へ自動的に移動させ、線材を巻取ドラムの先端側へ自動的に整然と巻き付けることもできる。
【０００８】  また、グリッパー体を、長さ方向に中央部に先広がりくさび形状に貫通する貫通孔を有するグリッパー本体とくさび状の矢板とから構成して、貫通孔にその後方から線材の先端を挿入し、その挿入状態で貫通孔の前方から矢板を叩き入れて線材の先端を直線状態のままグリップするようにすれば、線材の先端を簡単容易にかつ正確に直線状態のままグリップすることができるのでこのましい。
【考案を実施するための最良の形態】
【０００９】  以下、本考案の実施の形態を図に基づいて説明する。【００１０】  図１は、本考案に係る巻取装置付き伸線機を示し、該伸線機１は、機台２の一端に線材Ａを伸線するための伸線ダイス３と、また他端に伸線ダイス３から線材Ａを引抜いて伸線しながら巻取ドラム５の胴体５１に巻き取る巻取装置４とを備えている。【００１１】  伸線ダイス３は機台２の一端側支持部２１に固定され、その支持部２１のダイス前方には線材Ａのガイド孔２１ａが設けられている。【００１２】  巻取装置４は、機台２の他端側支持部２２に回転可能に片持ち支持される巻取ドラム５と、図４に示す巻取ドラム５を駆動回転するためのモータ（駆動機構）６と、巻取ドラム５の回転により線材Ａを伸線ダイス３から線材Ａを引抜いて巻取ドラム５の胴部５１に巻き込む引込み機構７とを有している。【００１３】  引込み機構７としては、図１及び図２に示すように巻取ドラム５における胴体５１の外周に、該ドラム５の軸方向と平行に配置される第１ガイド溝５１ａと、第１ガイド溝５１ａに対し所定角度変位した位置で巻取ドラム５の軸方向と平行に配置される第２ガイド溝５１ｂとを形成すると共に、第１ガイド溝５１ａに嵌入され、かつ第１ガイド溝５１ａの長さ方向に沿って移動可能な移動ガイド体８と、伸線ダイス３から突き通された線材Ａの先端部を直線状態のままグリップするグリッパー体９と、移動ガイド体８とグリッパー体９とを連結する所定長さのワイヤー（索条体）１０とからなる引込み部材１１を用いる。そして、巻取ドラム５の回転により引込み部材１１を介して線材Ａを巻取ドラム５の胴部５１に巻き取るとき、図３に示すように線材Ａの直線先端部が巻取ドラム５の胴部５１外周から接線方向に延びる状態でグリッパー体９が第２ガイド溝５１ｂ内に入り込むように構成している。【００１４】  移動ガイド体８はブロック形状でその後面にワイヤー１０の一端が固定されている。【００１５】  グリッパー体９は、図１に示すように、長さ方向に中央部に先広がりくさび形状に貫通する貫通孔９１ａを有するグリッパー本体９１とくさび状の矢板９２とからなり、貫通孔９１ａにその後方から線材Ａの先端部を挿入し、その挿入状態で貫通孔９１ａの前方から矢板９２を叩き入れて線材Ａの先端をグリップするように構成している。グリッパー本体９１の前面下部にワイヤー１０の他端が固定されている。また、図２に示すように、矢板９２の長さＬは伸線前の線材Ａの径ｄ１＞伸線後の線材の径ｄ２の伸線率に適応した摩擦力にて線材Ａを引抜き得る長さを有し、かつ１５０ｍ／ｍ以上の真直した長さをもっている。【００１６】  次に、巻取装置付き伸線機の動作を説明する。【００１７】  まず、図１に示すように送り出し部（図示せず）から線材Ａを伸線機１のガイド孔２１ａを介して伸線ダイス３に挿通する。ここで、伸線前の線材Ａの先端ａは、伸線ダイス３内を通るため、所定長さだけ予め伸線ダイス３の内径よりも細径に形成されている。【００１８】  次に、図１に示すように引込み部材１１の移動ガイド体８を巻取ドラム５の第１ガイド溝５１ａにおける基部側に嵌入した状態で、グリッパー本体９１の貫通孔９１ａに細径に形成された線材Ａの先端部ａを挿入する。そのうえで���通孔９１ａに矢板９２を叩き入れ、グリッパー体９にて細径に形成された線材Ａの先端ａをグリップする。【００１９】  その後、図２に示すように巻取ドラム５をモータ６により所定角度だけ回転させ、引込み部材１１を介して線材Ａを伸線ダイス３から所定長さ伸線しながら引き出す。【００２０】  然る後、巻取ドラム５を所定角度逆回転し、グリッパー体９の矢板９２をグリッパー本体９１に対し一旦緩めて、線材Ａの細径に形成された先端ａではなく全てが伸線されて同一径となった部分をグリップできる位置までグリッパー体９を線材Ａに対し後退させる。そのうえで再び矢板９２をグリッパー本体９１に叩き入れて線材Ａの掴み直しを行う。【００２１】  その後、巻取ドラム５を再び正回転させることにより引込み部材１１を介して線材Ａを巻取ドラム５の胴部５１に巻き取る。このとき、図３に示すようにグリッパー体９にグリップされた線材Ａの直線先端部が巻取ドラム５の胴部５１外周から接線方向に延びる状態となるようにグリッパー体９が第２ガイド溝５２内に入り込むことになる。このとき、線材Ａの細径に形成された先端ａ部分は、例えば圧造素材としては使用できないので切断して取り除く。【００２２】  斯かる状態で巻取ドラム５を正回転させることにより引込み部材１１を介して線材Ａを巻取ドラム５の胴部５１に巻き取るのである。このとき、巻取ドラム５に線材Ａを巻き取る力で、移動ガイド体８とグリッパー体９を巻取ドラム５の軸方向先端側へ自動的に移動させて行くことになり、線材Ａは巻取ドラム５の先端側へ整然と巻き付けられて行くことになる。【００２３】  以上のように本考案によれば、巻取ドラム５を回転させ引込み部材１１を介して線材Ａを巻取ドラム５に巻き取る際、線材Ａの先端部が巻取ドラム５の胴部５１外周から接線方向に延びるようにグリッパー体９が巻取ドラム５の第２ガイド溝５１ｂ内に入り込むように構成したから、巻取ドラム５への線材Ａの巻き始め先端部を直線化することができ、これにより従来のように線材の末端を捨てるといったことなく最後まで使用することが可能になり、その結果、材料の無駄をなくすことができると共に、鉄鋼材の値上がりの折、不経済となるの抑えることができる。【００２４】  その上、巻取ドラム５に線材Ａを巻き取る力で、引込み機構７を巻取ドラム５の軸方向先端側へ自動的に移動させ、線材Ａを巻取ドラム５の先端側へ自動的に整然と巻き付けることができる。【００２５】  また、グリッパー体９を、長さ方向に中央部に先広がりくさび形状に貫通する貫通孔９１ａを有するグリッパー本体９１とくさび状の矢板９２とから構成して、貫通孔９１ａにその後方から線材Ａの先端を挿入し、その挿入状態で貫通孔９１ａの前方から矢板９２を叩き入れて線材Ａの先端を直線状態のままグリップするようにしたので、線材Ａの先端を簡単容易にかつ正確に直線状態のままグリップすることができる。
【図面の簡単な説明】
【００２６】
【図１】  本考案に係る巻取装置付き伸線機の側面図である。
【図２】  同グリッパー体に線材をグリップさせる際の説明図である。
【図３】  同引込み部材を介して線材をドラムに巻き取る際の説明図である。
【図４】  図３の正面図である。
【符号の説明】
【００２７】１            伸線機
２            機台
３            伸線ダイス
４            巻取装置
５            巻取ドラム
５１          胴部
５１ａ        第１ガイド溝
５１ｂ        第２ガイド溝
６            モータ
７            引込み機構
８            移動ガイド体
９            グリッパー体
１０          ワイヤー
１１          引込み部材
【図１】
0003145946.tif 000003
【図２】
0003145946.tif 000004
【図３】
0003145946.tif 000005
【図４】
0003145946.tif 000006